(57)【特許請求の範囲】
【請求項１】
複数の放送プログラム及びデータの情報を含む放送波を受信し、該放送から前記複数の放送プログラム及びデータの情報を復号するとともに、復号した前記複数の放送プログラム及びデータの情報を分配する１つの受信部と、
該受信部から分配された前記複数の放送プログラム及びデータの情報から任意の１つを選択して出力する複数の端末とを備え、
前記複数の端末は、前記複数の放送プログラム及びデータの情報の中から、他の端末による選択とは無関係に、任意の放送プログラム及びデータの情報を選択し、他の端末と同時に出力可能である受信機。
【請求項２】
前記受信部と前記複数の端末とを１つのバスラインで接続したことを特徴とする、請求項１に記載の受信機。
【請求項３】
前記放送波のデジタル符号化にＭＰＥＧの規格化されたフォーマットを用い、前記複数の端末は、それぞれ前記ＭＰＥＧ規格を復号化するＭＰＥＧオーディオデーコダを有することを特徴とする、請求項１に記載の受信機。
【請求項４】
前記ＭＰＥＧオーディオデーコダは、前記受信部からのデータの他にデジタルビデオデイスク、ビデオＣＤを含むパッケージメディアのデータを選択して処理することを特徴とする、請求項１に記載の受信機。
【請求項５】
前記端末は、ヘッドレストスピーカを備えることを特徴とする、請求項１に記載の受信機。
【請求項６】
前記端末は、任意の１つの放送プログラム及びデータの情報を選択可能にする選択ボタンを備えることを特徴とする、請求項１に記載の受信機。
【請求項７】
前記複数の端末は、リモートコントロールによって任意の１つの放送プログラム及びデータの情報を選択可能にすることを特徴とする、請求項１に記載の受信機。
【請求項８】
ＦＭ放送とこれに多重される複数のデータの情報とを含む放送波を受信し、該放送から前記ＦＭ放送とこれに多重される複数のデータの情報の復調を行う受信部と、
該受信部の処理で得られた前記ＦＭ放送及び複数のデータの情報から任意の１つを選択する複数の端末と、を備え、
前記複数の端末は、前記複数のデータの情報の中から、他の端末による選択とは無関係に、任意のデータの情報を選択し、他の端末と同時に出力可能である受信機。
【請求項９】
前記ＦＭ多重受信機が車両に搭載される場合には、運転席の端末では交通情報のデータのみを選択可能とし、助手席、後席ではＦＭ放送と、交通情報、天気情報、ニュースを含むデータとを含む全情報の選択を可能にすることを特徴とする請求項８に記載の受信機。
【発明の詳細な説明】
【０００１】
【発明の属する技術分野】
本発明は複数の放送プログラム、データを各端末で提供する受信機に関し、特に複数の放送プログラムを一括で放送するデジタルオーディオ放送（ＤＡＢ）を受信する直交周波数分割多重（ＯＦＤＭ）受信機で受信した複数の放送プログラム、データを任意に複数の端末で同時に受信可能にすることに関する。
【０００２】
【従来の技術】
通常、放送は１つの電波で１つのプログラムを放送する。したがって、１つの受信機では、任意の１つの放送プログラムしか聞けないのが原則である。車両には通常受信機は１つしかないので、車両に複数人が搭乗している場合には、全員が同じ放送プログラムを聞かなければならない。これに対して、上記デジタルオーディオ放送では、複数の放送プログラムが直交周波数分割多重方式により、一括して放送される。そして、上記直交周波数分割多重受信機では、受信した複数の放送プログラムの中から１つの放送プログラムを任意に選択して選択された放送プログラムが再生されるだけだと、上記と同様な問題が生じる。
【０００３】
【発明が解決しようとする課題】
しかしながら、上記直交周波数分割多重受信機では、１つの受信機で複数の放送プログラムを受信しているので、これらを同時に再生できれば、複数人が同時に異なる放送プログラムを聞くことが可能になり、上記問題を解決できる。
したがって、本発明は、上記問題に鑑み、複数の放送プログラムを同時に聞くことを実現できる直交周波数分割多重受信機を提供することを目的とする。
【０００４】
【課題を解決するための手段】
本発明の複数の情報を受信して各端末で提供する受信機は、前記問題点を解決するために、複数の直交搬送波をデジタル符号化して一括で送信される複数の放送プログラム及びデータの情報を受信し、受信信号を周波数変換し、デジタル符号化された直交搬送波を復調し、デインタリーブ及び誤り訂正を含むマルチパス対策処理を行う１つの受信部と、該受信部の処理で得られた前記複数の放送プログラム及びデータの情報から任意の１つを選択する複数の端末と、前記複数の端末において任意の１つの放送プログラム及びデータの情報を選択することを可能にし、選択されたチャンネル、データの内容を表示するセレクト／表示部とを備える直交周波数分割多重受信機を使用することを特徴とする。この手段により、１つの受信機で、放送に含まれる複数のプログラム及びデータを同時に聞いたり、見たりすることが可能になる。
【０００５】
前記受信部と前記複数の端末とを１つのバスラインで接続する。この手段により、接続構成が簡単化する。
前記直交搬送波のデジタル符号化にＭＰＥＧの規格化されたフォーマットを用い、各前記複数の端末は、前記ＭＰＥＧ規格を復号化するＭＰＥＧオーディオデーコダを有する。この手段により、情報圧縮されたデータをＰＣＭに復号化される。
【０００６】
前記直交搬送波のデジタル符号化にＭＰＥＧの規格化されたフォーマットを用い、各前記複数の端末は、前記ＭＰＥＧ規格を復号化するＭＰＥＧオーディオデーコダを有し、該ＭＰＥＧオーディオデーコダは前記受信部からのデータの他にデジタルビデオデイスク、ビデオＣＤを含むパッケージメディアのデータを選択して処理する。この手段により、デジタルデイスク、ビデオＣＤの画像データのうちオーディオデータを聞くことができる。
【０００７】
前記直交周波数分割受信機が車両に搭載される場合には、さらに、車両の各座席毎に複数の放送プログラムの情報を出力するヘッドレストスピーカを付ける。この手段により、車両において、個別にオーディオ信号を聞くことができる。
前記セレクト／表示部において、選択ボタンにより、前記複数の端末で任意の１つの放送プログラム及びデータの情報を選択可能にする。この手段により、自由な選択が実現できる。
【０００８】
前記セレクト／表示部において、リモートコントロールにより前記複数の端末で任意の１つの放送プログラム及びデータの情報を選択可能にする。自由な選択が容易にできる。
複数の情報を受信して各端末で提供する受信機は、アナログのＦＭ放送とこれに多重される時分割のデジタルデータとを受信し、受信信号の選局処理を含む処理を行うチューナ、デジタルデータの復調を行うデーコダ、前記受信信号を検波する検波器を含む受信部と、該受信部の処理で得られた前記ＦＭ放送及び複数のデータの情報から任意の１つを選択する複数の端末と、前記複数の端末において前記ＦＭ放送及び複数のデータの情報を選択することを可能にし、選択されたＦＭ放送チャンネル、データの内容を表示するセレクト／表示部とを備える。この手段により、個別にＦＭ放送又は多重したデータのうち任意のジャンルのいずれかを選択できる。
【０００９】
前記ＦＭ多重受信機が車両に搭載される場合には、運転席の端末では交通情報のデータのみを選択表示し、助手席、後席ではＦＭ放送と、交通情報、天気情報、ニュースを含むデータとを含む全情報の選択表示可能にする。運転席では交通情報だけに限定して運転に専念できるようにし、助手席、後席では自由に選択してＦＭ放送を聞いたり、任意のジャンルのデータを見ることができる。
【００１０】
【発明の実施の形態】
以下本発明の実施の形態について図面を参照して説明する。
図１は本発明に係る直交周波数分割多重受信機の構成物の車両の配置例を示す図である。本図に示すように、デジタルオーディオ放送を受信するアンテナ１が例えば車両の後尾に設けられる。そして、この近くの車両内に受信部２が設けられる。車両の各座席の前に受信部２に対して放送プログラムをセレクトし、選択されたチャンネルの表示、複数のジャンルの放送データの内容（ニュース、天気予報、交通情報等）を表示する複数のセレクタ／表示器３が設けられる。車両の座席の各ヘッドレストには前記セレクタ及び表示器３で選択された放送プログラムが出力される複数の対のヘッドレストスピーカ４Ｌ及び４Ｒが設けられ、これらの対のヘッドレストスピーカ４Ｌ及び４Ｒを介して、各乗員は個別に異なる放送プログラムを聞くことが可能になる。
【００１１】
図２は図１のセレクタ／表示器３の例を示す図である。本図に示すように、セレクタ／表示器３には各乗員が任意の放送プログラムを選択する複数のボタンを有するセレクタ３１と、前述のように選択された放送プログラムの表示、選択された放送データの内容としてニュース、天気予報、交通情報等を表示する表示器３２が設けられる。この場合、セレクタ３１は放送プログラムだけでなく、放送データの内容も選択できる。そして、セレクタ３１に代わり、リモコン制御が行えるようにしてもよい。
【００１２】
図３は受信部２及びこれとヘッドレスト端末部４Ｌ及び４Ｒ間の端末部の構成例を示す図である
本図に示すように、受信部２には、アンテナ１に接続される周波数変換部２１は入力信号の周波数を２段でベースバンド時系列に変換する。周波数変換部２１に接続されるＡ／Ｄ変換器２２はベースバンド時系列に変換されるたアナログ信号をデジタル信号に変換する。Ａ／Ｄ変換器２２に接続されるＦＦＴ（高速フーリエ変換）／ＱＰＳＫ復調部は入力信号の周波数分析を行って各搬送波を抽出し、且つこの結果を基にＱＰＳＫ復調を行って、各搬送波に重畳したシンボル列を分離する。ＦＦＴ／ＱＰＳＫ復調部２３に接続されるデインタリーブ／誤り訂正部２４は、分離されたシンボル列について周波数、時間のデインタリーブを行う。これにより、特定の音声プログラムがいつまでも受信できないという状況を回避できる。このようにして受信部２により処理された信号は構成の簡単化実現のためにバスライン５を介して端末部４に出力される。
【００１３】
端末部４は各座席に端末４１、４２、４３、４４が設けられる。各端末４１、４２、４３、４４ではバスライン５を経由して入力したデータからセレクタ／表示器３によりユーザの所望するジャンルのデータが選択される。各端末４１、４２、４３、４４にその出力がＤ／Ａ変換された後に増幅する増幅器４５Ａ、４５Ｂ、４６Ａ、４６Ｂ、４７Ａ、４７Ｂ、４８Ａ、４８Ｂが接続され、その出力には、それぞれスピーカ４Ｌ、４Ｒが接続される。
【００１４】
図４は端末部４に入力するデジタルオーディオ放送におけるベースバンドデータのフレーム構造例を示す図である。本図に示すように、ベースバンドデータは同期、内容情報に関するＦＩＣ（高速情報チャンネル）、放送プログラム１、放送プログラム２、…、放送プログラムＮ、データで構成され、宛て名情報と通信情報からなるパケット構成となっている。
【００１５】
図５は端末４１（４２、４３、４４）の構成例を示す図である。本図に示すように、端末４１（４２、４３、４４）はベースバンドデータを一時格納するバッファメモリ５１と、バッファメモリ５１に接続され情報圧縮されたベースバンドデータをＰＣＭデータに復号して、Ｄ／Ａ変換後に増幅器４５Ａ、４５Ｂに出力するＭＰＥＧ（動画像専門家グループ）オーディオデコーダ５２と、ベースバンドデータを入力するタイミングセレクタ５３はユーザセレクタ３１の選択によりバッファメモリ５１からＭＰＥＧオーディオデーコダ５２に送出すべき放送プログラムのタイミングを制御する。ベースバンドデータを入力するデータ復号デーコダは、タイミングセレクタ５３のタイミング制御とユーザセレクタ３１の選択により、表示器３２に表示すように、データを復号するデータデーコダ５４とからなる。
【００１６】
このようにして、１つの受信部でヘッドレストスピーカで別々に放送を楽しむことができ、複数のユーザを満足させることができる。以上は車両の適用について説明したが、家庭内の別々の部屋でも別々の放送を楽しめるようにできる。
図６は図５の構成に外部入力を行う例を示す図である。本図に示すように、バッファメモリ５１とＭＰＥＧオーディオデーコダ５２の間にスイッチを設け、ＭＰＥＧオーディオデーコダ５２への外部入力として、規格された、例えばＤＶＤ（デジタルビデオデイスク）、ビデオＣＤのパッケージメディア等が使用できるようにする。この切替はユーザセレクタ３１により行える。
【００１７】
図７は本発明に係るＦＭ多重受信機の構成物の配置例を示す図である。本図に示すように、ＦＭ多重受信機の受信部１０はアナログのＦＭ音声信号と複数のジャンルで時分割で処理されるデジタルのデータ信号との多重信号を受信するアンテナ１１と、受信信号を選局処理等を行うチューナ１２と、チューナ１２のコンポジット信号をＭＳＫ方式のデジタル変調を復号してデータを取り出すＭＳＫデコーダ１３と、ＭＳＫデーコダ１３からのデータの誤り訂正を行う誤り訂正回路１４と、チューナ１２のコンポジット信号から音声信号を取り出す検波器１５とを備える。さらに、ＦＭ多重受信機は、誤り訂正回路１４のデータ及び検波器１５の音声信号を入力する運転席端末１６、助手席端末１７、後席端末１８、各端末にセレクタ／表示器１９とを具備する。これらの端末のアンプ、スピーカは省略する（図３と同様のため）。セレクタ／表示器１９により、別々に、運転席では交通情報が表示され、助手席では天気予報が表示され、後席では音楽を聞くことができる。なお、運転席では、交通情報のみを選択可能にし、他の助手席、後席ではＦＭ放送を聞き、天気予報、交通情報等を含むすべての情報を表示できるようにする。
【図面の簡単な説明】
【図１】本発明に係る直交周波数分割多重受信機の構成物の車両の配置例を示す図である。
【図２】図１のセレクタ／表示器３の例を示す図である。
【図３】受信部２及びこれとヘッドレスト端末部４Ｌ及び４Ｒ間の端末部の構成例を示す図である。
【図４】端末部４に入力するデジタルオーディオ放送におけるベースバンドデータのフレーム構造例を示す図である。
【図５】端末４１（４２、４３、４４）の構成例を示す図である。
【図６】図５の構成に外部入力を行う例を示す図である。
【図７】本発明に係るＦＭ多重受信機の構成物の配置例を示す図である。
【符号の説明】
１，１１…アンテナ
２，１０…受信部
３，１９…セレクタ／表示部
４Ｌ，４Ｒ…ヘッドレストスピーカ
５…バスライン
１２…チューナ
１３…ＭＳＫデーコダ
１４…誤り訂正回路
１５…検波器
１６，１８，４１，４２，４３，４４…端末
２１…周波数変換部
２２…Ａ／Ｄ変換器
２３…ＦＦＴ／ＱＰＳＫ復調部
２４…デインタリーブ／誤り訂正部
【図１】
0003649521.tif 000002
【図２】
0003649521.tif 000003
【図３】
0003649521.tif 000004
【図４】
0003649521.tif 000005
【図５】
0003649521.tif 000006
【図６】
0003649521.tif 000007
【図７】
0003649521.tif 000008